(57)【要約】【課題】光ディスクにおいて、オーバーヘッドを極力少なく、しかも高い信頼性でアドレスを再生可能とする。【解決手段】トラックグルーブに沿って配列された複数の単位区間部分の側面は、トラックグルーブに沿って周期的に変位する側面を有し、各単位区間部分に割り当てられた副情報を各単位区間部分に割り当てられた形状によって表現している。各単位区間部分は、信号波形の立ち上がりが相対的に急峻で、立ち下りが相対的に緩やかになるように規定された第１の側面変位パターン、または信号波形の立ち上がりが相対的に緩やかで、立ち下りが相対的に急峻になるように規定された第２の側面変位パターンを有している。各単位区間部分のための識別マークが、対応する単位区間部分の先頭に配置され、識別マークは、第１および第２の側面変位パターンから区別される側面変位パターンを有し、かつ、対応する単位区間部分に割り当てられた形状が表現する副情報と同一の情報を表現している。【選択図】図２０
2008159257.tif 000002
【特許請求の範囲】
【請求項１】
トラックグルーブを有し、前記トラックグルーブに沿って情報が記録される光ディスク媒体であって、
前記トラックグルーブは、前記トラックグルーブに沿って配列された複数の単位区間部分であって、前記トラックグルーブに沿って周期的に変位する側面を有する複数の単位区間部分を含み、
前記複数の単位区間部分の側面は、各単位区間部分に割り当てられた副情報を、各単位区間部分に割り当てられた形状によって表現しており、
各単位区間部分は、
信号波形の立ち上がりが相対的に急峻で、立ち下りが相対的に緩やかになるように規定された第１の側面変位パターン、または
信号波形の立ち上がりが相対的に緩やかで、立ち下りが相対的に急峻になるように規定された第２の側面変位パターンを有しており、
各単位区間部分のための識別マークが、対応する単位区間部分の先頭に配置され、
前記識別マークは、前記第１および第２の側面変位パターンから区別される側面変位パターンを有し、かつ、対応する単位区間部分に割り当てられた形状が表現する副情報と同一の情報を表現している、光ディスク媒体。
【請求項２】
前記情報は、所定長のブロック単位で記録され、
各ブロックは、前記トラックグルーブに沿って配列されたＮ個の単位区間部分を含む、請求項１に記載の光ディスク媒体。
【請求項３】
前記トラックグルーブの側面の変位は、前記トラックグルーブの中心線に対してディスク内周側または外周側へ生じている、請求項１または２に記載の光ディスク媒体。
【請求項４】
前記複数の単位区間部分で共通する側面の変位周期は、少なくとも１つのブロック内において一定の値を有している、請求項３に記載の光ディスク媒体。
【請求項５】
各単位区間部分には１ビットの副情報が割り当てられ、
各ブロックに含まれるＮ個の単位区間部分にはＮビットの副情報群が記録されている、請求項１から４のいずれかに記載の光ディスク媒体。
【請求項６】
前記Ｎビットの副情報群は、前記副情報群を記録している単位区間部分が属するブロックのアドレス情報を含んでいる請求項５に記載の光ディスク媒体。
【請求項７】
請求項６に記載の光ディスク媒体からアドレス情報を再生する方法であって、
識別マークを検出し、前記識別マークが表現する情報に対応する第１の信号を生成するステップ（ａ）と、
前記識別マークに続く単位区間部分が表現する副情報に対応する第２の信号を生成するステップ（ｂ）と、
前記第１の信号および前記第２の信号に基づいて、前記単位区間部分が表現する前記副情報を決定するステップ（ｃ）と、
を包含する方法。
【請求項８】
請求項６に記載の光ディスク媒体からアドレス情報を再生することができる装置であって、
識別マークを検出し、前記識別マークが表現する情報に対応する第１の信号を生成する手段と、
前記識別マークに続く単位区間部分が表現する副情報に対応する第２の信号を生成する手段と、
前記第１の信号および前記第２の信号に基づいて、前記単位区間部分が表現する前記副情報を決定する手段と、
を備えた装置。
【発明の詳細な説明】
【技術分野】
【０００１】
本発明は、高密度で情報（例えばデジタルビデオ情報）を記録することができる光ディスクに関するものである。
【背景技術】
【０００２】
近年、光ディスク媒体の記録密度は上昇の一途を辿っている。一般に、書き込み可能な光ディスク媒体には予めトラックグルーブが形成され、トラックグルーブを覆うように記録膜が形成されている。ユーザによって記録膜に書き込まれるデータまたは情報は、トラックグルーブに沿って、すなわちトラックグルーブの上またはトラックグルーブで挟まれた領域（ランド）に記録される。
【０００３】
トラックグルーブは正弦波状に蛇行して形成され、蛇行周期（ウォブル周期）に基づいてクロック信号が再生される。ユーザデータは、このクロック信号と同期して記録膜に書き込まれ、また記録膜から再生される。
【０００４】
光ディスクの所定の位置にデータを記録するためには、光ディスク上の物理的な位置を示すアドレス情報（位置情報）を光ディスク上の各部位に割り当て、その部位にアドレス情報をディスクの製造段階で記録しておく必要がある。通常、アドレスはトラックグルーブに沿って並ぶ所定長さの領域に連続的に割り付けられる。このようなアドレス情報を光ディスクに記録させる態様には種々のものがある。以下、従来の光ディスクにおけるアドレス記録方式を説明する。
【０００５】
特許文献１は、蛇行するトラックグルーブを局所的に断続し、その断続部にアドレス専用領域を設けたディスク記録媒体を開示している。トラックグルーブ上のアドレス専用領域には、アドレス情報を記録したプレピットが形成されている。この光ディスクにおいては、トラックグルーブ上にアドレス専用領域と（情報を記録するための）データ専用領域が併存する構成をとる。
【０００６】
特許文献２は、トラックグルーブのウォブル周波数によってアドレス情報を記録する光ディスクを開示している。このような光ディスクによれば、アドレス情報が記録されている領域とデータが書き込まれる領域とがトラック方向に沿っては分離されていない。
【０００７】
特許文献３は、隣接するトラックグルーブの間にプレピットを形成した光ディスクを開示している。このプレビットがアドレス情報を記録している。
【特許文献１】特開平６−３０９６７２号公報
【特許文献２】特開平５−１８９９３４号公報
【特許文献３】特開平９−３２６１３８号公報
【発明の開示】
【発明が解決しようとする課題】
【０００８】
上述した各種光ディスクによれば、高記録密度化の観点から、以下に示すような解決すべき課題が存在している。
【０００９】
まず、トラック上のアドレス専用領域内にプレピットでアドレス情報を記録する光ディスクでは、アドレス専用領域を確保するため、いわゆるオーバーヘッドが発生し、データ領域が削られてしまう。その結果、ユーザが利用可能な記録容量を減らさざるを得なくなる。
【００１０】
次に、トラックのウォブル周波数を変調することによってアドレスを記録する光ディスクでは、精度の高い記録クロック信号を生成できないという問題がある。そもそも、トラックグルーブのウォブルは、記録再生動作に必要な同期のためのクロック生成に利用されることを主目的として形成されるものである。このウォブル周波数が単一の場合、ウォブルに従って振幅の変化する再生信号をＰＬＬ等によって同期逓倍すれば、精度の高いクロック信号を生成することができる。しかし、ウォブル周波数が単一でなく、複数の周波数成分を有している場合、ＰＬＬの疑似ロックを避けるため、ＰＬＬ追従帯域を（単一周波数ウォブルの場合に比べて）低下させる必要がある。その場合、ＰＬＬは、ディスクモーターのジッタやディスク偏心によって生じるジッタに十分追従できず、その結果、記録信号にジッタが残留する場合が発生する。
【００１１】
一方、光ディスク上に形成された記録膜が例えば相変化膜であった場合、書き換えを繰り返すうちに記録膜のＳＮが低下することがある。ウォブル周波数が単一ならば、狭い帯域のバンドパスフィルタを用いてノイズ成分を除去することが可能である。しかし、ウォブル周波数が変調されている場合、フィルタの帯域を拡げねばならないため、ノイズ成分が混入しやすく、ジッタをさらに悪化させるおそれがある。今後、記録密度を高めてゆくほど、ジッタマージンが減少するため、ウォブル周波数の変調を避けてジッタ増加を抑える必要がある。
【００１２】
アドレス情報を記録するプレピットをグルーブ間に形成する構成においては、プレピットの長さを十分長く、また個数を十分多くすることが難しいため、記録密度を高めるにつれ、検出エラーが増えるおそれがある。グルーブ間に位置するプレピットは、大きく形成すると、隣接トラックにも影響を及ぼすからである。
【００１３】
本発明は上記問題点に鑑み、その主な目的は、オーバーヘッドを極力少なくし、かつ、トラックグルーブのウォブルに基づいて高い精度でクロック信号を再生できる光ディスク媒体を提供することを目的とする。
【００１４】
本発明の他の目的は、上記光ディスク媒体に記録されたアドレスを再生する方法および装置を提供することにある。
【課題を解決するための手段】
【００１５】
光ディスク媒体は、トラックグルーブを有し、前記トラックグルーブに沿って所定長のブロック単位ごとに情報が記録される光ディスク媒体であって、前記所定長のブロック単位は、グルーブに沿って配列された複数のサブブロックを有しており、識別可能なサブブロックマークが前記サブブロック内に設けられている。
【００１６】
好ましい実施形態において、前記トラックグルーブには周期的な蛇行が設けられており、前記サブブロックマークが上記蛇行の位相を変化させることによって形成されている。
【００１７】
好ましい実施形態において、前記トラックグルーブには周期的な蛇行が設けられており、前記サブブロックマークには他の部分とは異なる周波数の蛇行が割り当てられている。
【００１８】
好ましい実施形態において、前記トラックグルーブの蛇行は、前記ブロック単位のアドレスを示す情報に対応した形状を有している。
【００１９】
好ましい実施形態において、前記トラックグルーブの蛇行は、前記ブロック単位のアドレスを示す情報に対応した鋸状形状を有している。
【００２０】
好ましい実施形態において、前記サブブロックマークには、前記トラックグルーブの蛇行の形状によって示される情報と同じ情報が記録されている。
【００２１】
本発明による情報再生方法は、上記光ディスク媒体からアドレスを示す情報を再生する情報再生方法であって、前記トラックグルーブの蛇行に基づいて検出される再生信号に同期する第１の同期信号であって前記再生信号の基本周波数に等しい周波数を持つ第１の同期信号を生成し、前記第１の同期信号を前記再生信号に乗算するステップ（ａ）と、前記再生信号に同期した第２の同期信号であって前記再生信号の基本周波数の２倍の周波数を持つ第２の同期信号を生成し、前記第２の同期信号を前記再生信号に乗算するステップ（ｂ）と、前記ステップ（ａ）およびステップ（ｂ）の乗算結果を積分するステップ（ｃ）と、前記ステップ（ｃ）における積分結果と適当なしきい値を比較し、アドレスを示す情報を決定するステップ（ｄ）とを包含する。
【００２２】
本発明による情報再生装置は、上記光ディスク媒体からアドレスを示す情報を再生する情報再生装置であって、トラックグルーブの蛇行に基づいて検出される再生信号に同期する第１の同期信号であって前記再生信号の基本周波数に等しい周波数を持つ第１の同期信号を前記再生信号に乗算する乗算する第１の乗算器と、前記再生信号に同期した第２の同期信号であって前記再生信号の基本周波数の２倍の周波数を持つ第２の同期信号を前記再生信号に乗算する第２の乗算器と、前記第１の乗算器および第２の乗算器の出力を積分する積分手段と、前記積分手段の出力値と適当なしきい値を比較し、アドレスを示す情報を判定する決定する手段とを備えている。
【００２３】
本発明による光ディスク媒体は、トラックグルーブを有し、前記トラックグルーブに沿って情報が記録される光ディスク媒体であって、前記トラックグルーブは、前記トラックグルーブに沿って配列された複数の単位区間部分であって、前記トラックグルーブに沿って周期的に変位する側面を有する複数の単位区間部分を含み、前記複数の単位区間部分の側面は、各単位区間部分に割り当てられた副情報を、各単位区間部分に割り当てられた形状によって表現しており、各単位区間部分は、信号波形の立ち上がりが相対的に急峻で、立ち下りが相対的に緩やかになるように規定された第１の側面変位パターン、または、信号波形の立ち上がりが相対的に緩やかで、立ち下りが相対的に急峻になるように規定された第２の側面変位パターンを有しており、各単位区間部分のための識別マークが、対応する単位区間部分の先頭に配置され、前記識別マークは、前記第１および第２の側面変位パターンから区別される側面変位パターンを有し、かつ、対応する単位区間部分に割り当てられた形状が表現する副情報と同一の情報を表現している。
【００２４】
好ましい実施形態において、前記情報は、所定長のブロック単位で記録され、各ブロックは、前記トラックグルーブに沿って配列されたＮ個の単位区間部分を含む。
【００２５】
好ましい実施形態において、前記トラックグルーブの側面の変位は、前記トラックグルーブの中心線に対してディスク内周側または外周側へ生じている。
【００２６】
好ましい実施形態において、前記複数の単位区間部分で共通する側面の変位周期は、少なくとも１つのブロック内において一定の値を有している。
【００２７】
好ましい実施形態において、各単位区間部分には１ビットの副情報が割り当てられ、各ブロックに含まれるＮ個の単位区間部分にはＮビットの副情報群が記録されている。
【００２８】
好ましい実施形態において、前記Ｎビットの副情報群は、前記副情報群を記録している単位区間部分が属するブロックのアドレス情報を含んでいる。
【００２９】
本発明の方法は、上記光ディスク媒体からアドレス情報を再生する方法であって、識別マークを検出し、前記識別マークが表現する情報に対応する第１の信号を生成するステップ（ａ）と、前記識別マークに続く単位区間部分が表現する副情報に対応する第２の信号を生成するステップ（ｂ）と、前記第１の信号および前記第２の信号に基づいて、前記単位区間部分が表現する前記副情報を決定するステップ（ｃ）とを包含する。
【００３０】
本発明の装置は、上記光ディスク媒体からアドレス情報を再生することができる装置であって、識別マークを検出し、前記識別マークが表現する情報に対応する第１の信号を生成する手段と、前記識別マークに続く単位区間部分が表現する副情報に対応する第２の信号を生成する手段と、前記第１の信号および前記第２の信号に基づいて、前記単位区間部分が表現する前記副情報を決定する手段とを備えている。
【発明の効果】
【００３１】
本発明によれば、トラックグルーブに沿って配列された複数のサブブロック（単位区間部分）のそれぞれに、サブブロックのための識別マーク（サブブロックマーク）が与えられているため、サブブロックを検知することが容易になる。特に、各サブブロックにおけるトラックグルーブの蛇行が表現する情報（”１”か”０”）と同じ情報をサブブロックのための識別マークが表現している場合、トラックグルーブの蛇行が表現している情報を確実に読み出すことが可能になる。
【発明を実施するための最良の形態】
【００３２】
本発明による光ディスク媒体の記録面１には、図１Ａに示すように、トラックグルーブ２がスパイラル状に形成されている。図１Ｂは、トラックグルーブ２の一部を拡大して示している。図１Ｂにおいては、不図示のディスク中心が下方に存在し、ディスク径方向が矢印ａで示されている。矢印ｂは、ディスク上に形成される記録／再生光のビームスポットがディスクの回転に伴って移動する方向を示している。本明細書では、矢印ａに平行な向きを「ディスク径（ラジアル）方向」と呼び、矢印ｂに平行な方向を「トラック方向」と呼ぶことにする。
【００３３】
ディスク上に形成される光ビームスポットを固定した座標系では、光ビームに照射されるディスク部分（「ディスク照射部」）は、矢印ｂとは反対の方向に移動する。
【００３４】
ここで、図１Ｂに示すようなＸ−Ｙ座標を考えることにする。本発明の光ディスクでは、トラックグルーブの側面２ａ、２ｂのＹ座標位置がＸ座標の増加に伴って周期的に変化している。このようなグルーブ側面２ａ、２ｂの周期的な位置変位をトラックグルーブ２の「ウォブル」または「ウォブリング」と称する。矢印ａ方向の変位は「ディスク外周側変位」と称し、矢印ａの反対方向への変位は「ディスク内周側変位」と称する。また、図中、ウォブルの１周期は「Ｔ」で示されている。ウォブル周波数は、ウォブルの１周期Ｔに反比例し、ディスク上における光ビームスポットの線速度に比例する。
【００３５】
図示されている例におけるトラックグルーブ２の幅はトラック方向（矢印ｂ）に沿って一様である。このため、トラックグルーブ２の側面２ａ、２ｂの位置がディスク径方向（矢印ａ）に変位する量は、トラックグルーブ２の中心（破線）がディスク径方向に変位する量に等しい。このため、以下においては、トラックグルーブにおける側面位置のディスク径方向変位を「トラックグルーブの変位」または「トラックグルーブのウォブル」と簡略的に表現することにする。ただし、本発明は、トラックグルーブ２の中心とトラックグルーブ２の側面２ａ、２ｂとがディスク径方向に同じだけウォブルする場合に限定されない。トラックグルーブ２の幅がトラック方向に沿って変化しても良いし、トラックグルーブ２の中心がウォブルせず、トラックグルーブの側面のみがウォブルしていてもよい。
【００３６】
本発明では、トラックグルーブ２のウォブリング構造が複数種類の変位パターンの組み合わせによって規定されている。すなわち、トラックグルーブ２の平面形状は、図１Ｂに示すような単なる正弦波形のみからなるのではなく、正弦波形とは異なる形状部分を少なくとも一部に有している。このようなウォブルドグルーブの基本構成は、本出願人による特許出願（特願２０００−６５９３号、特願２０００−１８７２５９号、および特願２０００−３１９００９号）の明細書に開示されている。
【００３７】
図１Ｂのトラックグルーブ２について、グルーブ中心のＹ座標をＸ座標の関数ｆ0（ｘ）で示すと、ｆ0（ｘ）は、例えば、定数・ｓｉｎ（２πｘ／Ｔ）で表される。
【００３８】
以下、図２（ａ）および（ｂ）を参照しながら、本発明で採用するウォブルパターンの構成を詳細に説明する。
【００３９】
図２（ａ）は、トラックグルーブ２のウォブルパターンを構成する４種類の基本要素を示している。図２（ａ）には、滑らかな正弦波形部位１００および１０１、ディスク外周向き変位を急峻にした矩形部位１０２、ならびに、ディスク内周向き変位を急峻にした矩形部位１０３が示されている。これらの要素部分の組み合わせによって、図２（ｂ）に示すような、４種類のウォブルパターン１０４〜１０７が形成される。
【００４０】
ウォブルパターン１０４は矩形部位のない正弦波である。このパターンを「基本波形」と称することとする。本明細書において、「正弦波」とは、完全なサインカーブに限定されず、滑らかな蛇行を広く含むものとする。
【００４１】
ウォブルパターン１０５は、正弦波形による変位よりも急激にディスク外周側に変位する部分を有している。このような部分を「外周向き変位矩形部」と称することにする。
【００４２】
実際の光ディスクでは、トラックグルーブのディスク径方向変位をトラック方向に対して垂直に実現することは困難であるため、完全な矩形が形成されるわけではない。従って、実際の光ディスクにおける矩形部のエッジ形状は、正弦波部位に対して相対的に急峻に変位していれば良く、完全な矩形である必要はない。図２（ｂ）からもわかるように、正弦波部位では、最内周側から最外周側への変位がウォブル周期の１／２の時間で完了する。矩形部位では、同様の変位がウォブル周期の例えば１／４以下で完了するようにすれば、これらの形状差を充分に検知することが可能である。
【００４３】
なお、ウォブルパターン１０６は、内周向き変位矩形で特徴付けられ、ウォブルパターン１０７は、「内周向き変位矩形」プラス「外周向き変位矩形」で特徴付けられる。
【００４４】
ウォブルパターン１０４は、基本波形のみによって構成されているため、その周波数成分は、ウォブル周期Ｔの逆数に比例する「基本周波数」によって規定される。これに対して、他のウォブルパターン１０５から１０７の周波数成分は、基本周波数成分以外に、高周波成分を有している。高周波成分は、ウォブルパターンの矩形部分における急激な変位によって発生する。
【００４５】
ウォブルパターン１０５〜１０７について、図１Ｂの座標系を採用し、トラック中心のＹ座標をＸ座標の関数で示すと、これらの関数をフーリエ級数で展開することができる。展開されたフーリエ級数には、ｓｉｎ（２πｘ／Ｔ）よりも振動周期の短いｓｉｎ関数の項（高調波成分）が含まれることになる。しかしながら、いずれのウォブルパターンも基本波形成分を有している。本明細書では、基本波形の周波数を「ウォブル周波数」と称する。上記４種類のウォブルパターンは、共通のウォブル周波数を有している。
【００４６】
本発明では、ウォブル周波数を変調することによってトラックグルーブ２にアドレス情報を書き込む代わりに、前述の複数種類のウォブルパターンを組み合わせることによって、アドレス情報を含む種々の情報をトラックグルーブに記録させることができる。具体的には、トラックグルーブの所定区間毎に上記４種類のウォブルパターン１０４〜１０７のいずれかを割り当てることにより、例えば「Ｂ」、「Ｓ」、「０」、および「１」などの４つの符号を記録しておくことが可能である。ここで、「Ｂ」はブロック情報を示し、「Ｓ」は同期情報を示すものとする。「０」および「１」は、それらの組み合わせによってアドレス番号やその誤り検出符号などを表現する。
【００４７】
次に、図３Ａおよび図３Ｂを参照しながら、本発明による光ディスクからトラックグルーブのウォブルによって記録された情報を再生する方法の基本を説明する。
【００４８】
まず、図３Ａおよび図３Ｂを参照する。
【００４９】
図３Ａは、再生装置の主要部を示す図であり、図３Ｂは、トラックグルーブと再生信号との関係を示す図である。
【００５０】
図３Ｂに模式的に示すトラックグルーブ２００に対して、再生用レーザビーム２０１のスポットを矢印方向に走査する。レーザビーム２０１は光ディスクから反射され、反射光２０２が形成される。反射光２０２は、図３Ａに示す再生装置のディテクタ２０３、２０４で受け取られる。ディテクタ２０３、２０４は、ディスク半径方向に対応した方向に分割されており、それぞれ、受け取った光の強度に応じた電圧を出力する。ディテクタ２０３、２０４に対する反射光２０２の照射位置（受光位置）がディテクタ２０３とディテクタ２０４との間にある分割位置に対していずれかの側にシフトすると、ディテクタ２０３の出力とディテクタ２０４の出力との間に差異が発生する（差動プッシュプル検出）。ディテクタ２０３、２０４の出力は差動回路２０５に入力され、差動回路２０５において引き算が実行される。その結果、グルーブ２００のウォブル形状に応じた信号（ウォブル信号）２０６が得られる。ウォブル信号２０６は、ハイパスフィルタ（ＨＰＦ）２０７に入力され、ハイパスフィルタ（ＨＰＦ）２０７で微分される。その結果、ウォブル信号２０６に含まれていた滑らかな基本成分は減衰し、急峻な傾斜を持った矩形部分に対応したパルス成分をもつパルス信号２０８が得られる。図３Ｂからわかるように、パルス信号２０８における各パルスの極性は、グルーブ２００における急峻な変位の方向に依存している。このため、パルス信号２０８から、グルーブ２００の持つウォブルパターンを識別することが可能である。
【００５１】
次に、図３Ｃを参照する。図３Ｃは、図３Ｂに示すウォブル信号２０６からパルス信号２０８とクロック信号２０９とを生成する回路の構成例を示している。
【００５２】
図３Ｃの構成例では、ウォブル信号２０６は、第１のバンドパスフィルタＢＰＦ１および第２のバンドパスフィルタＢＰＦ２に入力される。そして、第１のバンドパスフィルタＢＰＦ１および第２のバンドパスフィルタＢＰＦ２は、それぞれ、パルス信号２０８およびクロック信号２０９を生成している。
【００５３】
トラックのウォブル周波数をｆｗ（Ｈｚ）とすると、第１のバンドパスフィルタＢＰＦ１は、４ｆｗ〜６ｆｗ（例えば５ｆｗ）の周波数でゲイン（透過率）がピークとなる特性をもつフィルタから形成される。このようなフィルタによれば、低周波からピーク周波数までは例えば２０ｄＢ／ｄｅｃでゲインが上昇し、ピーク周波数よりも周波数が高い領域では急激（例えば６０ｄＢ／ｄｅｃ）にゲインが低下することが好ましい。第１のバンドパスフィルタＢＰＦ１は、トラックのウォブルが矩形的に変化する部分を示すパルス信号２０８をウォブル信号２０６から適切に生成することができる。
【００５４】
一方、第２のバンドパスフィルタＢＰＦ２は、所定の周数数帯域（例えばウォブル周波数ｆｗを中心に含む、０．５ｆｗ〜１．５ｆｗの帯域）でゲインが高く、それ以外の周波数ではゲインが小さいフィルタリング特性を有している。このような第２のバンドパスフィルタＢＰＦ２は、トラックのウォブル周波数に対応した周波数を持つ正弦波信号をクロック信号２０９として生成することができる。
【００５５】
以下、本発明による光ディスク媒体の実施形態を詳細に説明する。
【００５６】
（実施形態１）
本実施形態に係る光ディスクの記録面１にも、図１Ａに示すようなスパイラル状トラックグルーブ２が形成されている。
【００５７】
図４は、本実施形態におけるトラックグルーブ２の形状を示している。トラックグルーブ２は、複数のブロックに分かれており、ブロックとブロックとの間には、位置決めマークとして機能するブロックマーク（識別マーク）２１０が設けられている。本実施形態におけるブロックマーク２１０は、トラックグルーブ２を寸断することにより形成されている。
【００５８】
トラックグルーブ２は、複数の単位区間２２、２３を含んでおり、所定数の単位区間２２、２３によって各ブロックが形成される。各単位区間には、複数のウォブルパターンから選択された任意のウォブルパターンが割り当てられ得る。図４の例では、単位区間２２には図２（ｂ）のウォブルパターン１０６が割り当てられ、単位区間２３にはウォブルパターン１０５が割り当てられている。
【００５９】
ウォブルパターン１０５およびウォブルパターン１０６は、それぞれ、１ビットの情報要素（”０”または”１”）を担っている。この１ビットの情報要素を本明細書では「副情報」と称することにする。トラックグルーブの各単位区間におけるウォブルパターンの種類を検知すれば、その単位区間に割り当てられた副情報の内容を再生することができる。そして、複数ビットの副情報から種々の情報を再生することが可能になる。
【００６０】
ウォブルパターンにおける波形の違いは、前述したように、差動プッシュプル検出で得られる再生信号の立ち上がり／立下りの傾斜の差となって表れる。従って、例えば単位区間２２のウォブルパターンが図２Ａのウォブルパターン１０５およびウォブルパターン１０６のいずれであるかを容易に識別できる。前述のように再生信号を微分することによって上記検出を行うと、ノイズ成分が増加する。このため、ＳＮ比の低い高密度光ディスク媒体に適用する場合、検出エラーが生じる可能性がある。このような検出エラーを発生させないようにするため、本実施形態では、以下に説明する技術を採用している。
【００６１】
ユーザによっディスクに書き込まれるべき情報（以下、「記録情報」と称する。）は、複数のブロックに分けられ、トラックグループに沿って記録層に書き込まれる。記録情報の書き込みは、ブロックマーク２１０を起点にしてトラックグルーブ２に沿って伸びる所定長（例えば６４キロバイト長）のブロックを単位として行われる。このようなブロックは、情報処理上の単位であり、例えばＥＣＣブロックなどを意味する。ブロックはＮ個（Ｎは自然数）のサブブロック（単位区間部分）を含んでいる。ブロックが６４キロバイトで、サブブロックが２キロバイトであるとき、１つのブロックに含まるサブブロックの個数Ｎは３２となる。
【００６２】
本実施形態では、トラックグルーブ上で各サブブロックの情報が書き込まれるべき領域は、トラックグルーブの単位区間２２、２３に対応している。
【００６３】
単位区間２２、２３のそれぞれに１ビットの副情報０または１を記録しているため、各ブロックにはＮ＝３２（ビット）の副情報群が割り当てられる。本実施形態では、この３２ビットの副情報群によって、当該ブロックのアドレスを表記する。
【００６４】
例えば、各単位区間の長さを２４１８バイト（＝２０４８バイト＋パリティ）とし、１ウォブル周期を１１．６２５バイトに相当する長さに設定した場合、各単位区間には２０８周期分のウォブルパターンが含まれることになる。その結果、図３Ｂおよび図３Ｃに示すウォブル信号２０６をウォブルの２０８周期分（２０８波数）の期間にわたって検知し、ウォブルパターンの種類を識別すればよい。このため、信号再生時にノイズによって多少の検出エラーが発生したとしても、副情報を正確に判別することができる。
【００６５】
より具体的には、例えば、差動プッシュプル信号の微分波形（パルス信号２０８）をその立ち上がり、立ち下がり毎にサンプルホールドする。そして、立ち上がりの回数および立ち下りの回数をそれぞれ積算した値を比較するようにすれば、ノイズ成分がキャンセルされるため、副情報成分を高い精度で抽出することができる。
【００６６】
なお、図４のブロックマーク２１０は、トラックグルーブ２を寸断して設けられているため、ブロックマーク２１０上の記録層に情報を上書きすると多少の問題が発生しえる。すなわち、グルーブの有無によって反射光量が大きく変化するため、ブロックマーク２１０の存在が再生信号に対する外乱として作用する。そこで、本実施形態では、ブロックマーク２１０を含む所定長の領域２１にＶＦＯ（Ｖａｒｉａｂｌｅ  Ｆｒｅｑｕｅｎｃｙ  Ｏｓｃｉｌｌａｔｏｒ）記録領域２１を割り当てている。ＶＦＯ記録領域２１とは、単一周波数信号ＶＦＯが記録される領域であり、ＶＦＯは、記録情報の再生に必要なＰＬＬを引き込ませるための信号である。ＶＦＯ信号であれば、多少の外乱変動があっても局所的なジッタが発生するだけであり、エラーが生じることはない。また、ＶＦＯ信号は単一周波数で繰り返される信号であるため、ブロックマークによる外乱を分離することも可能である。ＶＦＯ記録領域２１に記録される信号は、単一周波数に限らずとも、ブロックマーク２１０による信号と周波数分離可能な十分狭いスペクトル帯域の特定パターンの信号であればよい。
【００６７】
（実施形態２）
図５を参照しながら、実施形態１における光ディスク媒体のアドレスを再生する機能を持った光ディスク再生装置を説明する。
【００６８】
この再生装置の光ヘッド３３１から出たレーザビームは、光ディスク１を照射し、光ディスク１のトラックグルーブ上に光スポットを形成する。光ディスク１の回転に伴って光スポットがトラックグルーブ上を移動するように駆動系の制御が行われる。
【００６９】
光ヘッド３３１は、光ディスク１によって反射されたレーザビームを受け取り、電気信号を生成する。光ヘッド３３１から出力された電気信号は、再生信号処理回路３３２に入力され、再生信号処理回路３３２において演算される。再生信号処理回路３３２は、光ヘッド３３１から得た信号に基づいて、全加算信号とウォブル信号（ブッシュプル信号）とを生成し、出力する。
【００７０】
ウォブル信号はウォブルＰＬＬ回路３３３に入力される。ウォブルＰＬＬ回路３３３は、ウォブル信号からクロック信号を生成し、タイミング発生回路３３５に送出する。クロック信号の周波数は、ウォブル周波数を逓倍した大きさを持つ。なお、ウォブルＰＬＬ回路３３３が位相同期していない状態では、精度は劣るものの基準クロックを用いてタイミングを生成することもできる。
【００７１】
再生信号処理回路３３２から出力された全加算信号は、ブロックマーク検出回路３３４に入力される。ブロックマーク検出回路３３４は、全加算信号からブロックマーク２１０の位置を検出する。実施形態１の光ディスクでは、ブロックマーク２１０が形成されている部分からの反射レーザ光強度が他の部分よりも高くなる。このため、ブロックマーク検出回路３３４は、全加算信号が所定のレベルを超えたとき、ブロックマーク検出信号を生成し、タイミング発生回路３３５に送出する。
【００７２】
タイミング発生回路３３５は、上記のブロックマーク検出信号およびクロック信号に基づいて、ブロック先頭位置からのクロック数をカウントする。このカウントにより、ウォブル信号の立ち上がりタイミング、立ち下がりタイミング、副情報の区切りのタイミング、および、ブロックの区切りタイミングを決定することができる。
【００７３】
第１の形状計数回路３３６は、ウォブル信号の立ちあがり時におけるウォブル信号の傾きが所定値ＵTH以上になる回数を単位区間毎にカウントする。具体的には、プッシュプル信号の傾きが、ウォブル信号の立ちあがり時において、所定値ＵTH以上であれば、計数値Ｃ１を１だけ増加し、ＵTH未満であれば、計数値Ｃ１を変化させずにそのまま保持する。ウォブル信号の立ちあがり時は、タイミング発生回路３３５の出力信号によって規定される。
【００７４】
第２の形状計数回路３３７は、ウォブル信号の立ち下がり時におけるウォブル信号の傾きが所定値ＤTH以下になる回数を単位区間毎にカウントする。具体的には、プッシュプル信号の傾きが、ウォブル信号の立ち下がり時において、所定値ＤTH以下であれば、計数値Ｃ２を１だけ増加し、ＤTHを超えれば、計数値Ｃ２を変化させずにそのまま保持する。ウォブル信号の立ち下がり時は、タイミング発生回路３３５の出力信号によって規定される。
【００７５】
副情報検出回路３３８は、タイミング発生回路３３５が生成した副情報の区切りタイミング信号に基づいて、第１の形状計数回路３３６の計数値Ｃ１と第２の形状計数回路３３７の計数値Ｃ２を比較する。ある単位区間について、Ｃ１≧Ｃ２が成立すれば、当該単位区間における副情報として”１”を出力し、Ｃ１＜Ｃ２が成立すれば、当該単位区間における副情報として”０”を出力する。言い換えると、単位区間毎に多数決判別でウォブル信号の種類を決定している。
【００７６】
誤り訂正回路３３９は、１ブロック内に含まれる複数の単位区間に割り当てられた副情報群に対して誤り訂正を施し、アドレス情報を再生する。
【００７７】
上記の各回路は、独立した別々の回路として構成されている必要はなく、ある回路要素が複数の回路に共通して用いられていてもよい。また、予めメモリに記録されたプログラムに従って動作が制御されるディジタルシグナルプロセッサによって回路の機能が実行させるようにしてもよい。このことは、以下に述べる各実施形態についても当てはまる。
【００７８】
（実施形態３）
図６を参照しながら、本発明による光ディスク再生装置の他の実施形態を説明する。本実施形態における光ディスク再生装置は、実施形態２における光ディスク再生装置と比較して、イレージャ検出回路３４０を備えている点で異なる。また、誤り訂正回路３３９の機能も異なっている。これらの点以外では、本実施形態の装置は実施形態２の装置と同様であるので、両実施形態に共通する構成については説明を繰り返さないこととする。
【００７９】
イレージャ検出回路３４０は、各単位区間について、第１の形状計数回路３３６が出力する計数値Ｃ１と、第２の形状計数回路３３７が出力する計数値Ｃ２とを比較する。そして、所定値Ｅに対して、−Ｅ＜Ｃ１−Ｃ２＜＋Ｅの関係が成立したとき、副情報の判別があいまいであるとしてイレージャフラグ”１”を出力する。一方、−Ｅ＜Ｃ１−Ｃ２＜＋Ｅの関係が成立しないとき、イレージャフラグ”０”を出力する。
【００８０】
誤り訂正回路３３９は、イレージャフラグが”１”のとき、副情報を消去し、強制的に誤り訂正を施す。
【００８１】
本実施形態では、このようにイレージャフラグによって誤りビットを消去するため、誤り訂正符号の訂正可能ビット数が２倍になる。
【００８２】
なお、イレージャフラグとしては、Ｃ１−Ｃ２≦−Ｅのとき”０”、−Ｅ＜Ｃ１−Ｃ２＜＋Ｅのとき”Ｘ”、＋Ｅ≦Ｃ１−Ｃ２のとき”１”を出力するようにしてもよい。この場合、イレージャフラグが”Ｘ”であれば、強制的にエラー訂正を施すようにしても良い。
【００８３】
以上のように本実施形態の光ディスク再生装置によれば、第１の形状計数値と第２の形状計数値の差が小さく副情報の判定があいまいな場合、誤り訂正の過程でそのビットを消去することによって、誤り訂正能力を向上させ、より信頼性の高いアドレス再生が可能になる。
【００８４】
（実施形態４）
図７を参照しながら、本発明による光ディスク媒体のアドレス再生方法を説明する。
【００８５】
図７の上部には、ウォブル形状３５１が模式的に示されている。ウォブル形状３５１の左部分は立ち下がり変位が急峻であり、右部分は立ち上がり変位が急峻である。
【００８６】
プッシュプル信号に現れたウォブル信号３５２は、ノイズや波形歪みによって品質が劣化している。
【００８７】
２値化信号３５３は、ウォブル信号３５２を０レベルでスライスした信号である。微分信号３５４は、ウォブル信号３５２を微分した信号である。微分信号３５４は、ウォブル形状の傾斜に関する情報を有している。変位点における傾斜を検出している部分以外でもノイズや波形歪みによってピーキングが現れている。
【００８８】
簡単化のため、ウォブル信号のある任意の第１部分３５５と第２部分３５６について説明する。
【００８９】
ウォブル信号の第１部分３５５において、２値化信号３５３の立ち上がりエッジにおける微分信号３５４のサンプリング値３５７の絶対値と、立ち下がりエッジにおける微分信号３５４のサンプリング値３５８の絶対値とを比較する。サンプリング値３５８の絶対値の方が大きいため、第１部分３５５が含まれるウォブル信号は、立ち上がり変位よりも立ち下がり変位が急峻なウォブルパターンを有していると決定できる。
【００９０】
同様に、ウォブル信号の第２部分３５６において、２値化信号３５３の立ち上がりエッジにおける微分信号３５４のサンプリング値３５９の絶対値と、立ち下がりエッジにおける微分信号３５４のサンプリング値３６０絶対値とを比較する。サンプリング値３５９の絶対値の方が大きいため、第２部分３５６が含まれるウォブル信号は、立ち下がり変位よりも立ち上がり変位が急峻なウォブルパターンを有していると決定できる。
【００９１】
このような識別をウォブル周期毎に行い、識別結果を積算することにより、副情報単位内での多数決判別を実行することができる。
【００９２】
このように本発明のアドレス再生方法は、ウォブル信号を２値化した信号のエッジタイミングにおいてのみ微分信号をサンプリングし、サンプル値を比較する。その結果、ウォブル形状の変位点における傾きを検出し、ノイズや波形歪み等の外乱があっても信頼性の高い検出ができる。
【００９３】
（実施形態５）
図８を参照しながら、本発明の光ディスクからアドレスを再生できる他の光ディスク再生装置を説明する。
【００９４】
本実施形態の再生装置と、図５の再生装置との相違点は、本実施形態の装置がウォブル形状検出回路３６１を備えている点にある。ウォブル形状検出回路３６１は、１ウォブル周期毎に、ウォブル形状の立ち上がり変位が急峻な第１の形状であるか、立ち下がり変位が急峻な第２の形状であるかを識別し、副情報検出回路３３８にウォブル形状情報を出力する。副情報検出回路３３８は、ウォブル形状回路３６１から得たウォブル形状情報に基づいて、形状検出数の多い形状を決定する。そして、着目する副情報単位に割りあてられた副情報を識別し、出力する。
【００９５】
副情報検出回路３３８は、受け取ったウォブル形状情報に基づいて、第１の形状の検知を示す信号を受け取った回数を得るためのカウンタと、第２の形状の検知を示す信号を受け取った回数を得るためのカウンタとを備えていても良い。両形状についてのカウント数を比較することにより、多数決判別が実行できる。また、アップダウンカウンタによって、第１の形状を検知したときは値を１だけ増加させ、第２の形状を検知したときは値を１だけ減少させるようにしてしてもよい。この場合、単位区間の終了時点におけるアップダウンカウンタの符号で副情報を表現することができる。
【００９６】
次に、図９を参照してウォブル形状検出回路３６１の動作を詳細に説明する。
【００９７】
ウォブル形状検出回路３６１は、プッシュプル信号（ウォブル信号）を受け取り、不必要なノイズ成分を低減するＢＰＦ（バンドパスフィルタ）３６２を有している。このＢＰＦ３６２は、ウォブル信号の基本波周波数成分と、ウォブルの傾き情報を有する高調波周波数成分とを通過させれば良い。ウォブル信号の基本周波数をｆｗとすると、線速度の変化マージンを考慮し、１／２ｆｗ〜５ｆｗの帯域を持つバンドパスフィルタを用いることが好ましい。
【００９８】
ＢＰＦ３６２の出力は、傾き検出回路３６３と２値化回路３６５に入力される。
【００９９】
傾き検出回路３６３は、ウォブル信号の傾きを検出する。この「傾き」の検出は、ウォブル信号を微分することによって行われ得る。微分に代えて、傾き情報を有する高調波成分のみを抽出するＨＰＦ（ハイパスフィルタ）を用いても良い。傾き検出回路３６３の出力は、立ち上がり値取得回路３６６と反転回路３６４とに送られる。
【０１００】
反転回路３６４は、傾き検出回路３６３の出力を０レベルに対して反転し、立ち下がり値取得回路３６７に出力する。
【０１０１】
２値化回路３６５は、ウォブル信号の立ち上がりゼロクロスタイミングと、立ち下がりゼロクロスタイミングとを検出する。立ち上がりゼロクロスタイミングは、ウォブル信号が”Ｌ”レベルから”Ｈ”レベルに変位するタイミングであり、立ち下がりゼロクロスタイミングは、”Ｈ”レベルから”Ｌ”レベルに変位するタイミングである。
【０１０２】
立ち上がり値取得回路３６６は、２値化回路３６５が検出した立ち上がりゼロクロスタイミングにおける傾き検出回路３６３の出力した傾きをサンプルホールドする。同様に、立ち下がり値取得回路３６７は、２値化回路３６５が検出した立ち下がりゼロクロスタイミングにおける反転回路３６４が出力した傾き（傾き値の反転）をサンプルホールドする。
【０１０３】
ここで、立ち上がり値取得回路３６６がサンプリングする値は、立ち上がりにおける傾きであることから、正の値である。また、立ち下がり値取得回路３６７がサンプリングする値は、立ち下がりにおける傾きを反転した値であることから、正の値である。つまり、立ち上がり値取得回路３６６ならびに立ち下がり値取得回路３６７がサンプリングする値は、それぞれ傾きの絶対値に相当する。
【０１０４】
比較回路３６９は、立ち上がり値取得回路３６６がサンプルホールドしている立ち上がりタイミングにおける傾きの絶対値と、立ち下がり値取得回路３６７がサンプルホールドしている立ち下がりタイミングにおける傾きの絶対値を、ウォブルの立ち下がりゼロクロスタイミングから遅延回路３６８で所定時間遅延したタイミングにおいて比較し、立ち上がり値取得回路３６６の値が大きければ第１の形状、そうでなければ第２の形状として、ウォブル形状情報を出力する。つまり、ウォブル信号の傾き情報が最も確実な（微分値が最大、最小となる）立ち上がりゼロクロスタイミングにおける傾き、ならびに、立ち上がりゼロクロスタイミングにおける傾きだけを比較することにより、確実なウォブル形状の検出を行っている。
【０１０５】
なお、本実施形態では、同一の信号を２値化回路３６５と傾き検出回路３６３の両方に入力しているが、本発明はこれに限定されない。ウォブル信号のゼロクロスタイミングをより高精度に検出するため、ＬＰＦ（ローパスフィルタ）を介してＢＰＦ３６２の出力を２値化回路３６５に入力してもよい。また、ＢＰＦ３６２として、２種類のＢＰＦを備え、異なる特性を持つＢＰＦを傾き検出回路３６３と２値化回路３６５に割り当てるようにしてもよい。この場合、各ＢＰＦを通過したウォブル信号の位相を一致させるため、別途、遅延補正回路を更に有することが望ましい。
【０１０６】
このように、本実施形態における光ディスク再生装置によれば、副情報を有するウォブル信号のゼロクロスタイミングにおいて、ウォブル信号の傾きをサンプルホールドし、そのホールド値を比較する。こうすることにより、ウォブル形状の識別を確実に行うことができ、ノイズ等による副情報の誤検出を低減することができる。
【０１０７】
（実施形態６）
図１０は、ブロックマーク２１０がＶＦＯ記録領域２１の略中央に配置されている構成を示している。なお、図１０の例では、ＶＦＯ記録領域２１に矩形波形のウォブルが形成されているが、本発明は、このような態様に限定されない。
【０１０８】
ここでは、図１１Ａおよび図１１Ｂを参照しながら、信号をＶＦＯ記録領域２１に記録する方法について説明する。図１１Ａおよび図１１Ｂでは、簡単化のため、トラックグルーブ２に形成されているウォブルの記載を省略している。
【０１０９】
図１１Ａは、トラックグルーブ２上に１ブロック相当の信号を記録する場合を示している。１ブロック単位の記録信号は、データ（ＤＡＴＡ）２０２とＶＦＯ２０１、２０３とを含んでいる。
【０１１０】
各ブロックの記録はＶＦＯ２０１から開始する。本実施形態におけるＶＦＯ２０１は、ＶＦＯ記録領域２１内に記録され、ＶＦＯ２０１の記録開始位置はブロックマーク２１０の手前である。ＶＦＯ２０１を記録した後、１ブロック分のＤＡＴＡ２０２が記録され、最後にＶＦＯ２０３が記録される。ＶＦＯ２０３は、ＶＦＯ記録領域３１内に記録され、ＶＦＯ２０３の記録終了位置はブロックマーク３１０の後方である。すなわち、本実施形態では、記録予定領域の先頭に位置するブロックマークの手前から情報の記録を開始し、前記領域の後尾に位置するブロックマークを通過した後に情報の記録を終了する。
【０１１１】
ブロックマーク２１０の中央からデータの記録を開始した場合、ブロックマーク２１０が存在する部分で記録膜の劣化が顕著に発生する。本実施形態におけるブロックマーク２１０は、トラックグルーブ２を寸断して設けられたものであるため、ブロックマーク２１０が存在する部分でトラックグルーブ上に段差が形成されている。このような段差が存在する部分に情報を記録するとき、記録膜に情報を記録するとき、記録膜に高いエネルギを持つレーザビームを照射することより、照射部分に高い熱エネルギを与える必要がある。レーザビームの照射領域の前後には大きな温度勾配が発生する。このような温度勾配は記録膜に応力を発生させる。応力発生部分に上述の段差が存在すると、記録膜などに小さな亀裂が発生するおそれがある。記録膜などに小さな亀裂が発生すると、記録を繰り返すうちに亀裂が拡大し、最終的には膜破損に至る可能性がある。
【０１１２】
本実施形態では、このような膜破損を防ぐため、記録の開始／終了位置をブロックマーク２１０、３１０が存在しない領域においている。
【０１１３】
ＶＦＯは、データ再生のための準備を整えるためのダミー信号である。ＶＦＯ信号を再生している間に、データスライスレベルを再生信号の中心にフィードバック制御し、さらにクロック抽出のためＰＬＬをロックさせる。データを忠実に再生するためには、再生データ信号の二値化とクロッキングを正確に行う必要がある。もし、ＶＦＯ信号期間が短すぎると、ＰＬＬが十分ロックしない状態でデータの再生を開始するため、ブロック先頭のデータにエラーが発生することがある。このため、ＶＦＯは、ブロックマークの手前より記録し、十分長い領域を確保することが好ましい。
【０１１４】
なお、先行するブロックに既にデータが記録されている場合、図１１Ｂに示すように、これから記録するブロックのＶＦＯが、先行ブロックのＶＦＯに対して上書きされる場合がある。このような場合、既に記録されているＶＦＯ信号の一部が消される。また、既存のＶＦＯと上書きされたＶＦＯとの間で位相が同期していない可能性もある。このため、先行するブロックのＶＦＯを用いて、これから次のブロックのＰＬＬをロックさせること好ましくない。
【０１１５】
以上、ＶＦＯの記録開始位置について述べたが、記録膜劣化について、データの記録終了位置についても同様に成り立つ。ただし、記録終了位置は、ブロックマーク３１０の手前よりも後が好ましい。記録終了位置をブロックマーク３１０の手前にすると、当該ブロックと後続するブロックとの間に間隙が形成される場合がある。この間隙は、高パワーの光が照射されず、マークが形成されない領域である。段差と同様、こうした間隙も膜の劣化に寄与することが懸念される。従って、先に記録されたブロックの後尾のＶＦＯと、後に記録するブロックの先頭のＶＦＯとは、オーバーラップすることが好ましい。ＶＦＯのオーバーラップは、図１１Ａに示すように、ＶＦＯ記録開始位置をブロックマーク２１０の手前に設定するとともに、ＶＦＯの記録終了位置をブロックマーク３１０の後に設定することで達成される。
【０１１６】
ブロックマークの位置とＶＦＯ記録開始位置／終了位置との間隔は、記録に用いるレーザ光のビームスポットの１０倍程度以上に設定することがすることが望ましい。ビームスポット径はレーザ光の波長をＮＡ値で割った大きさを持つため、波長６５０ｎｍのレーザ光を出射するＮＡ０．６５の光学ヘッドを用いた場合、ディスク上におけるビームスポット径は１μｍ（＝波長／ＮＡ）となる。この場合、ブロックマークから１０ｕｍ以上離れた位置を記録開始点または終了点とすることが好ましい。ただし、ビームスポットの１０倍という基準は、記録膜の特性（特に熱伝導率）によって修正され得る。
【０１１７】
なお、ブロックマーク２１０の手前から記録を開始するとき、当該ブロックマークは未だ検出されていない。このため、正確にブロックマークの手前から記録を開始するには、何らかの方法でブロックマークの位置を予測または推定する必要がある。例えば、先行するブロックのブロックマークを検出した後、前述のクロック信号からクロック数をカウントし、所定のクロック数に達したときに、次のブロックのＶＦＯを記録し始めるようにすればよい。
【０１１８】
（実施形態７）
図１２を参照しながら、本実施形態における光ディスク媒体を説明する。前述の実施形態では、ブロックマーク２１０をＶＦＯ記録領域２１の略中央に設けたが、本実施形態では、図１２に示すように、ブロックマーク２１１をＶＦＯ記録領域２１の中央より先行ブロック側に形成している。このような構成にしたことにより、先頭のＶＦＯをより長く確保することができる。
【０１１９】
（実施形態８）
図１３、図１４Ａ、および図１４Ｂを参照しながら、本実施形態における光ディスク媒体を説明する。
【０１２０】
本実施形態のブロックマーク２１０は、サブマーク２１０ａおよびサブマーク２１０ｂから構成されている。こうした構成により、記録時のタイミングがとりやすくなる。すなわち、２つのマークが形成されているため、ブロック先頭部分におけるマーク２１０ｂが検出された後、マーク２１０ａが検出される前に記録を開始するようにできる。また、記録の終了は、次のブロックの先頭部分に位置する２番目のマーク２１０ａが検出された後に行うことができる。
【０１２１】
このようにすれば、先行ブロックのブロックマークの検出時点からクロックをカウントする必要がなく、精度よく記録開始位置を定めることができる。
【０１２２】
なお、膜の劣化を避けるために、マーク２１０ａとマーク２１０ｂとの間隔を充分に広く設定することが好ましい。具体的には、記録開始位置とマーク２１０ａまたはマーク２１０ｂとの間隔をビームスポットの約１０倍以上にするため、マーク２１０ａとマーク２１０ｂとの間隔は、ビームスポットの約２０倍以上に設定することが好ましい。光ディスク上におけるビームスポットが１μｍである場合、上記の間隔は２０μｍ以上に設定することが望ましい。
【０１２３】
（実施形態９）
図１５を参照しながら、本実施形態における光ディスクを説明する。前述の実施形態では、いずれも、トラックグルーブ２を寸断して作ったブロックマーク２１０を形成している。このようなトラックグルーブが寸断された部分は、グルーブが形成されていないため、平坦であり、「ミラーマーク」と呼ばれる。ミラーマークは、再生光を高い反射率で反射するため、検出が容易である。しかし、本実施形態では、ミラーマークによるブロックマークを採用せず、他の形態のブロックマーク２１８を用いている。  以下、ブロックマーク２１８を詳細に説明する。
【０１２４】
本実施形態では、図１５に示すように、トラックグルーブのウォブルの位相をＶＦＯ記録領域２１内において反転させ、この位相の反転が生じている部分をブロックマーク２１８として機能させている。
【０１２５】
前述のように、ミラーマークによるブロックマーク２１０は、位置決め精度が高く、検出が容易といった利点を有しているが、ＳＮ比が低い場合、検出誤りが顕著に増えるといった問題がある。これに対し、ブロックマーク２１８の前後でウォブルの位相が逆転するようにトラックグルーブを形成しておけば、かりにノイズなどが原因でウォブル位相の変化点（ブロックマーク２１８）そのものを検出できなかった場合でも、ブロックマーク２１８を通り過ぎた後におけるウォブル位相を観察しておくことにより、いずれかの時点でブロックマークを通過したことを検知することができる。
【０１２６】
（実施形態１０）
図１６を参照しながら、本発明による光ディスクの他の実施形態を説明する。本実施形態では、各ＶＦＯ記録領域２１内に２つのブロックマーク２１８ａおよび２１８ｂを設けている。このブロックマーク２１８ａおよび２１８ｂは、いずれも、トラックグルーブのウォブル位相を反転させることにより形成されている。
【０１２７】
本実施形態と図１５の実施形態との主要な差異は、各ブロック間に形成されたウォブル位相の反転数が奇数か偶数かの違いにある。図１５に示すように、ウォブルの位相反転が各ＶＦＯ記録領域２１内で１回（奇数回数）生じる場合、その位相反転が生じた位置以降におけるウォブルの位相は、次のブロックマークを経過するまでの間、常に、先行ブロックにおけるウォブルの位相に対して反転した状態を維持することになる。その結果、トラックグルーブのウォブルからＰＬＬ同期でクロックを抽出しようとすると、そのままではＰＬＬ位相比較出力の極性が反転するため、ＰＬＬのスリップが発生してしまうことになる。このため、図１５の例のように、ウォブルの位相反転回数が奇数であれば、ブロックマークの通過後にＰＬＬの極性を反転させる必要がある。
【０１２８】
これに対して、本実施形態では、一旦反転させた位相（２１８ａ）を再度反転（２１８ｂ）させるため、ウォブルの位相が先行ブロックにおける位相と同一の位相に戻るため、ＰＬＬ極性の反転は不要になる。
【０１２９】
各ＶＦＯ記録領域２１内でのブロックマーク２１８ａ、２１８ｂの間隔は、想定されるディフェクトノイズより長くする必要がある。ただし、その間隔をＰＬＬの応答時間より長くすると、上記スリップの発生する確率が高くなる。以上のことから、各ＶＦＯ記録領域２１内でのブロックマーク２１８ａ、２１８ｂの間隔は、ウォブル周波数の３〜１０倍程度が適当であると考えられる。
【０１３０】
なお、各ＶＦＯ記録領域２１内におけるブロックマーク２１８ａ、２１８ｂの数は２個に限定されず、偶数個であれば、本実施形態と同様の効果が得られる。ただし、限られた長さ範囲内に４個以上のブロックマーク２１８ａ、２１８ｂを形成するのは集積度の観点から望ましくない。
【０１３１】
上記実施形態９および１０では、ウォブルの位相を反転させることにより、ブロックマークを形成しているが、位相の変化を検出することができれば、ブロックマークの前後で位相がちょうど９０°ずれている必要はない。ブロックマークの位置で変化するウォブル位相の好ましい範囲は、例えば４５〜１３５°である。
【０１３２】
（実施形態１１）
次に、図１７を参照しながら、本発明の実施形態１１を説明する。
【０１３３】
本実施形態と上記実施形態との差異は、ブロックマーク２１９の構成にある。本実施形態のブロックマーク２１９は、ブロック内部に位置するグルーブにおけるウォブル周波数とは異なる周波数のウォブルによって規定されている。図示されている例では、ブロックマーク２１９のウォブル周波数は、ブロック内部のウォブル周波数よりも高い。従って、バンドパスフィルタなどを用いて再生信号を処理することにより、局所的にウォブル周波数が異なっている信号を分離・識別すれば、ブロックマーク２１９の位置を高い精度で検知することができる。
【０１３４】
本実施形態の光ディスク媒体においても、ブロックマーク２１９はＶＦＯ記録領域２１内に形成されており、ブロックマーク２１９が存在する領域内にもＶＦＯデータが書き込まれる。
【０１３５】
ブロックマーク２１９のウォブル周波数は、ブロック内部におけるウォブル周波数の１．２倍以上３．０倍以下の範囲内に設定されることが好ましく、また、１．５倍以上２．０倍以下の範囲内に設定されることがさらに好ましい。ブロックマーク２１９のウォブル周波数がブロック内部のウォブル周波数に近すぎると、ブロックマーク２１９を検知することが困難になる。一方、ブロックマーク２１９のウォブル周波数がブロック内部のウォブル周波数に比較して高くなると、記録膜に書き込まれる情報の信号周波数に近づくため、両信号が干渉し、好ましくない。
【０１３６】
なお、ブロック間において、ブロックマーク２１９以外の領域にはブロック内でのウォブル周波数と同一周波数のウォブルが形成されていることが好ましい。ブロック間におけるウォブルの形状は、ブロック内におけるウォブルの形状から異なっていることが望ましい。図１７に示される例では、ブロック間のグルーブは正弦波カーブを描くように蛇行している。
【０１３７】
（実施形態１２）
次に、図１８を参照しながら、本発明の実施形態１２を説明する。
【０１３８】
本実施形態では、ブロックマークとして、局所的に振幅や周波数または位相が変化する形状を用いず、正弦波カーブを描くように蛇行するグルーブ全体をブロックマークとして用いている。また、各サブブロック２２１、２２２の先頭部分に局所的に周波数が変化するウォブル２２８、２２９が設けられている。
【０１３９】
このように、ウォブルの基本周波数と異なるウォブル周波数を持つ領域を各サブブロックの先頭に配置することにより、サブブロック間の境界を適確に検知することができる。前述の各実施形態では、サブブロックの位置はブロックマークからウォブルを計数することによって検知しているが、本実施形態では、各サブブロックに与えられたサブブロックマーク（２２８、２２９）を検知することにより、サブブロックの位置を認識することができる。
【０１４０】
なお、ＶＦＯ領域２１内の適切な位置に、前述の各実施形態で採用したブロックマークと同様のブロックマークを形成してもよい。また、本実施形態では、各サブブロック２２１、２２２の先頭部分にウォブル周波数が局所的に異なるサブブロックマーク２２８、２２９を形成しているが、サブブロックマーク２２８、２２９の位置は各サブブロックの後端部であってもよい。また、すべてのサブブロックにサブブロックマーク２２８、２２９を設ける代わりに、奇数番目または偶数番目のサブブロックのみに設けても良い。
【０１４１】
サブブロックマーク２２８、２２９のウォブル周波数は、前述した理由と同様の理由から、他の部分におけるウォブル周波数の１．２倍以上３．０倍以下の範囲内に設定されることが好ましく、また、１．５倍以上２．０倍以下の範囲内に設定されることがさらに好ましい。
【０１４２】
サブブロックマーク２２８、２２９は、サブブロックの開始位置を特定するために好適に用いられるが、さらに他の情報を表現していてもよい。例えば、あるブロック内に含まれる複数のサブブロックマークを用いて、そのブロックまたは他の関連付けられたブロックのアドレスを記録していてもよいし、他の情報を記録していてもよい。複数のサブブロックマークを用いてブロックのアドレスを記録する場合、そのアドレスはブロック内のウォブルによっても記録されているため、アドレス再生の信頼度が向上するという利点がある。
【０１４３】
サブブロックマークの組み合わせによって、複数ビットの情報を記録する場合、サブブロックマークに２値以上の識別可能な異なる形状を付与する必要がある。異なるサブブロックマークのウォブルに対して、異なる周波数を割り当てても良いし、異なる位相変調を割り当ててもよい。
【０１４４】
次に、図１９を参照しながら、本実施形態に係る光ディスク媒体からクロック信号およびアドレス情報を再生する回路の構成を説明する。
【０１４５】
まず、トラックと直交する方向（ディスク径方向）に分割された受光素子９０１と差演算器３７１を用いることにより、グルーブのウォブルに対応した信号成分を含む電気信号を再生する。この再生信号から、ローパスフィルタ（ＬＰＦ）３７４がウォブル信号の基本周期成分のみを抽出する。基本周期成分のみを有する信号はクロック生成回路３７３に与えられる。クロック生成回路３７３は、例えばＰＬＬ回路などから構成され、受け取った基本周期信号を所定数逓倍することにより、記録再生信号同期処理のためのクロック信号を生成する。
【０１４６】
一方、ハイパスフィルタ（ＨＰＦ）３７５は、再生ウォブル信号に含まれる高調波成分を選択的に通過させる。ハイパスフィルタ３７５の出力には、図１８に示すサブブロックマーク２２８、２２９による高い周波数成分や、鋸波状ウォブルによって生成される鋸状信号の急峻エッジ成分が含まれている。
【０１４７】
サブブロックマーク検出回路３７７は、サブブロックマーク２２８、２２９による所定周波数のウォブル成分を検出し、これらのマークを検出したとき、タイミング信号を発生する。サブブロックマーク検出回路３７７から出力されるタイミング信号は、アドレスデコーダ３７８に送出される。
【０１４８】
前述のように、鋸波状ウォブルの急峻エッジの極性はアドレス情報の「１」か「０」かに応じて反転する。アドレス情報検出回路３７６は、ハイパスフィルタ３７５の出力に基づいて、この極性反転を検出し、ビットストリームをアドレスデコーダ３７８に送出する。ビットストリームを受け取ったアドレスデコーダ３７８は、サブブロックマーク検出回路３７７から出力されたタイミング信号に基づいて、アドレス情報を再生する。
【０１４９】
以上の実施形態によれば、ブロックごとに信号が上書き可能な識別マークを形成し、グルーブウォブルによってアドレスを形成することにより、ブロック単位での情報の記録が容易な、高密度化に適した光ディスク媒体を提供することができる。また、この識別マークから十分離れた位置において記録開始または終了することにより、記録膜の劣化を軽減することができる。
【０１５０】
（実施形態１３）
次に、図２０から図２５を参照しながら、本発明の実施形態１３を説明する。
【０１５１】
本実施形態では、各サブブロックごとに局所的に位相情報を加えたサブブロックマーク２３８ａ、２３９ａが設けられている。先の実施形態についても説明したように、サブブロックマーク２３８ａ、２３９ａは、必ずしもサブブロックの開始位置を特定するだけのために用いられる必要はない。例えば、アドレス再生の信頼度を向上させるため、ブロック内のウォブルによって記録されているウォブル２３８ｂ、２３９ｂに加え、ウォブル２３８ｂ、２３９ｂと同一の情報をサブブロックマーク２３８ａ、２３９ａに記録していてもよい。
【０１５２】
本実施形態では、サブブロック２２１に形成されたサブブロックマーク２３８ａは、位相非反転ウォブルから構成される形状を有している。この形状は、アドレス情報「１」に対応しており、同じサブブロック２２１に形成されているウォブル２３８ｂが表現する情報と同一である。一方、サブブロック２２２に形成されたサブブロックマーク２３９ａは、位相反転ウォブルから構成される形状を有している。この形状は、アドレス情報「０」に対応しており、同じサブブロック２２２に形成されているウォブル２３９ｂが表現する情報と同一である。
【０１５３】
これらのサブブロックマーク２３８ａ、２３９ａの位相がＰＬＬクロックに対して同相か逆相か、位相を検出することにより、補助的なアドレス情報を得ることができる。
【０１５４】
サブブロックマーク２３８ａ、２３９ａの位相は、例えば、図２３に示すような構成を用い、ヘテロダイン検波方式によって検出することができる。
【０１５５】
以下、図２１から図２５を参照しながら、位相検出方法を説明する。
【０１５６】
まず、再生信号（例えば図１９における差演算器３７２の出力）をＳとすると、図２３に示されるように、再生信号Ｓはバンドパスフィルタ５０１（ＢＰＦ１）、バンドパスフィルタ５１１（ＢＰＦ２）、および乗算器５０４に入力される。バンドパスフィルタ５０１は、再生信号Ｓからウォブル基本周波数を抽出し、ＰＬＬ５０２に出力する。ＰＬＬ５０２はキャリア信号（第１の同期信号）Ｃ１を生成し、乗算器５０４に出力する。
【０１５７】
このキャリア信号Ｃ１と再生信号Ｓとを乗算器５０４を用いて乗算させれば、サブブロックマーク２３８ａ、２３９ａに記録されている補助情報が”１”か”０”かに応じて、正または負側に変化する乗算信号を得ることができる。
【０１５８】
図２１は、サブブロックマーク２３８ａの補助情報が”１”である場合を示し、図２２は、サブブロックマーク２３９ａの補助情報が”０”である場合を示している。図２１および図２２において、上記の乗算信号は、Ｓ×Ｃ１で示されている。
【０１５９】
図２４を参照して、乗算信号Ｓ×Ｃ１が生成される様子をより詳細に説明する。図２４において、位相の反転した関係にある２種類の再生信号Ｓが図示されている。第１の再生信号Ｓは実線カーブで示され、これと位相が１８０°異なる第２の再生信号Ｓは破線カーブで示されている。
【０１６０】
図２４からわかるように、キャリア信号Ｃ１は、再生信号Ｓと同期し、かつ、周波数が再生信号Ｓの周波数と等しくなるように生成されている。キャリア信号Ｃ１は、電圧ゼロのレベル（０）と、ある正電圧を示すレベル（１）との間で遷移する波形を持っている。このため、実線カーブで示される第１の再生信号Ｓとキャリア信号Ｃ１との積Ｓ×Ｃ１は実線で示される波形を持ち、破線カーブで示される第２の再生信号Ｓとキャリア信号Ｃ１との積Ｓ×Ｃ１は、破線で示される波形を持つことになる。このため、再生信号の２種類の位相に応じて、乗算信号Ｓ×Ｃ１の極性が決まる。
【０１６１】
この乗算信号（Ｓ×Ｃ１）を図２３に示す積分器５０５で所定期間積分すれば、図２１および図２２に示すように、正側または負側へ蓄積されて積分信号（ＡＣＣ）となる。所定期間とは、上記サブブロックマーク２３８ａまたは２３９ａが形成されている区間を読み出し光で走査する期間に相当する。この期間において、ゲート信号Ｇ１が生成され、積分器５０５の処理を有効にする。言い換えると、ゲート信号Ｇ１の立ち上がりから積分を開始し、ゲート信号Ｇ１の立ち下がりで終了させる。
【０１６２】
ゲート信号Ｇ１の生成は、例えば、図１６で示されるようなブロックマーク（ブロックマークの種類は任意である）を起点に、順次、ウォブルをカウントし、サブブロックマークを通過するであろうタイミングで上記ゲート信号Ｇ１を発生させるようにすればよい。
【０１６３】
ウォブル２３８ｂ、２３９ｂに記録された情報も、同様な方法を用いて検出することができる。今、バンドパスフィルタ５１１（ＢＰＦ２）が、再生信号Ｓにおけるウォブル基本周波数の倍の周波数を中心とした帯域を通過させるフィルタであるとすると、これに鋸波状のウォブル２３８ｂ、２３９ｂに対応する再生信号Ｓを通した場合、図２１および図２２に示すように、鋸波を構成する２倍高調波信号Ｓ２が抽出される。しかも、アドレス情報が”１”か”０”かに応じて、すなわち、ウォブルの変位が立ち上がり変位か立ち下がり変位かに応じて、２倍高調波Ｓ２の位相極性が反転して検出される。以下、図２５を参照しながら、この点をより詳細に説明する。
【０１６４】
ウォブル２３８ｂ、２３９ｂの持つウォブルパターンは、フーリエ級数展開することにより、基本周期で振動する波形成分と、２倍以上の周期で振動する複数の波形成分との重ね合わせによって表現されることがわかる。ウォブル２３８ｂ、２３９ｂのウォブルパターンを反映した波形を有する再生信号Ｓは、近似的に、図２５に示す基本周波数を持つ基本波形と、基本波形の周波数の２倍の周波数を持つ２倍高調波Ｓ２との重ね合わせによって表現される。従って、再生信号Ｓから基本波形成分を取り除き、２倍高調波Ｓ２を抽出することができる。２倍高調波Ｓ２の波形には、図２５に示すように、実線カーブと破線カーブの２種類があり得る。ウォブル２３８ｂ、２３９ｂのウォブルパターンに応じて、実線カーブの波形か破線カーブの波形かが決定される。
【０１６５】
図２５に示す２種類の２倍高調波Ｓ２を識別するには、図２４を参照しながら説明した方法が同様に適用され得る。すなわち、２倍高調波Ｓ２と同期し、２倍高調波Ｓ２の周波数と同一の周波数を持つキャリア信号（第２の同期信号）Ｃ２を生成し、２倍高調波Ｓ２に乗算する。こうして得た乗算信号Ｓ２×２Ｃを所定期間積分すれば、このサブブロックに割り当てられた情報（”１”か”０”）を検知できる。
【０１６６】
具体的には、図２３に示す乗算器５１２および積分器５１３を用いて、上記の乗算および積分を行うことにより、上記２倍高調波Ｓ２の同相逆相に応じて形成されたアドレス情報（”１”か”０”）のヘテロダイン検出が可能となる。ここでの所定期間とは、鋸波状ウォブル２３８ｂまたは２３９ｂを読み出し光で走査するタイミングで生成されるゲート信号Ｇ２が供給されている期間をいう。ゲート信号Ｇ２は、ゲート信号Ｇ１と同様な方法で生成することができる。
【０１６７】
なお、ＰＬＬ５０２の帰還側に１／２分周器５０３を設けておけば、分周器５０３の入力側から２倍周波数のキャリア信号Ｃ２を得ることができる。
【０１６８】
図２１および図２２には、上記の方法で得られた補助情報に係る蓄積値ＡＳと、当該ブロック内の鋸波状ウォブルによって記録されているアドレス情報検出信号に係る蓄積値ＡＭとが示されている。加算器５２０で蓄積値ＡＳを蓄積値ＡＭに加えることにより、積分信号ＡＣＣのＳＮを改善することができ、その結果アドレス取得率を向上させることができる。
【０１６９】
アドレス情報（”１”または”０”）は、図２１および図２２に示すタイミングパルスＳＨで積分信号ＡＣＣをサンプルホールドし、その値を基準値（ＧＮＤ）と比較することによって得られる。積分信号ＡＣＣのサンプルホールドは、図２３に示すサンプルホールダ５２１によって行うことができ、基準値（ＧＮＤ）との比較は、図２３に示す比較器５２２で行うことができる。
【０１７０】
なお、積分器５０５、５１３は、ゲート信号Ｇ１、Ｇ２がＨｉｇｈとなる期間を除く適当なタイミングでリセットされ、ＡＣＣはゼロレベル（初期値）に復帰させられる。
【０１７１】
本実施形態の説明において、バンドパスフィルタによって生じる群遅延や回路遅延といったタイミング誤差は一切無視しているが、実際の装置では、このようなタイミング誤差を考慮して設計の最適化が行われる。
【０１７２】
本実施形態においては、アドレス情報に対応したウォブル形状が、立ち上がりまたは立ち下がりの傾斜が異なる鋸波状形状を有しているが、一般に周期構造を持つ波形の「形状の違い」は、その高調波成分の振幅あるいは位相の違いに起因する。したがって、ウォブルの「形状の違い」によって情報を記載するものであれば、上記の鋸波形状に限らず、本発明の効果を得ることができる。ただし、鋸波形状は、ＳＮが比較的良い２次高調波の位相が顕著に変化する波形であるため、ウォブル形状としては、最も好ましい形状の一つと考えられる。
【０１７３】
本実施形態では、積分器５０５、５１３でそれぞれ積分処理を行った後に、加算器５２０で加算するような構成を採用しているが、積分器は、もともと累積加算器であるため、加算器５２０の機能を積分器のいずれかに代用させてもよい。例えば、乗算器５０４、５１２をそれぞれ電流出力としておいて、１つのコンデンサにチャージするようにしておけば、積分器５０５、５１３および加算器５２０の構成を機能的に実現できることになる。
【０１７４】
本実施形態では、アドレス情報を位相検出するにあたり、乗算器５０４、５１２を用いているが、位相情報を検出できるものであれば、乗算器以外の素子を用いてもよい。例えば、ＰＬＬ回路などで使用され得るＥＸＯＲ回路のような論理素子を用いてアドレス情報の位相検出を行ってもよい。
【産業上の利用可能性】
【０１７５】
本発明によれば、トラックグルーブに沿って配列された複数のサブブロック（単位区間部分）のそれぞれに、サブブロックのための識別マーク（サブブロックマーク）が与えられているため、サブブロックを検知することが容易になる。特に、各サブブロックにおけるトラックグルーブの蛇行が表現する情報（”１”か”０”）と同じ情報をサブブロックのための識別マークが表現している場合、トラックグルーブの蛇行が表現している情報を確実に読み出すことが可能になる。
【図面の簡単な説明】
【０１７６】
【図１Ａ】本発明による光ディスク媒体の上面図である。
【図１Ｂ】本発明による光ディスク媒体におけるトラックグルーブの平面形状を示す上面図である。
【図２】（ａ）は、ウォブルパターンの要素を示す平面図であり、（ｂ）は、上記要素を組み合わせて形成される４種類のウォブルパターンを示す平面図である。
【図３Ａ】トラックグルーブのウォブルに従って振幅の変化するウォブル信号に基づいてウォブルパターンの種類を識別することができる装置の基本構成を示す図である。
【図３Ｂ】トラックグルーブのウォブルパターン、ウォブル信号、およびパルス信号を示す波形図である。
【図３Ｃ】ウォブル信号からパルス信号とクロック信号とを分離する回路構成を示す図である。
【図４】実施形態１における光ディスク媒体の要部構成図である。
【図５】実施形態２における光ディスク再生装置の構成図である。
【図６】実施形態３における光ディスク再生装置の構成図である。
【図７】実施形態４におけるアドレス再生方法を説明するための図である。
【図８】実施形態５における光ディスク再生装置の構成図である。
【図９】実施形態５におけるウォブル形状検出手段の詳細を示す図である。
【図１０】実施形態６における光ディスク媒体の要部構成図である。
【図１１Ａ】信号をＶＦＯ記録領域２１に記録する方法について説明するための図である。
【図１１Ｂ】信号をＶＦＯ記録領域２１に記録する方法について説明するための図である。
【図１２】実施形態７における光ディスク媒体の要部構成図である。
【図１３】実施形態８における光ディスク媒体の要部構成図である。
【図１４Ａ】実施形態８における信号記録方法の説明図である。
【図１４Ｂ】実施形態８における信号記録方法の説明図である。
【図１５】実施形態９における光ディスク媒体の要部構成図である。
【図１６】実施形態１０における光ディスク媒体の要部構成図である。
【図１７】実施形態１１における光ディスク媒体の要部構成図である。
【図１８】実施形態１２における光ディスク媒体の要部構成図である。
【図１９】実施形態１２の光ディスク媒体からクロック信号およびアドレス信号を再生する装置の構成図である。
【図２０】実施形態１３における光ディスク媒体の要部構成図である。
【図２１】実施形態１３におけるアドレス検出方法の説明図である。
【図２２】実施形態１３におけるアドレス検出方法の説明図である。
【図２３】実施形態１３の光ディスク媒体からアドレス情報を再生する装置の構成図である。
【図２４】図２３の装置の動作を説明するための信号波形図である。
【図２５】図２３の装置の動作を説明するための信号波形図である。
【符号の説明】
【０１７７】
１  光ディスク記録面
２  トラックグルーブ
２１，３１，  ＶＦＯ記録領域
２２，２３  単位区間
２１０，２１１，３１０，２１８，２１８ａ，２１８ｂ  ブロックマーク
２３８ａ，２３９ａ  サブブロックマーク
５１１  バンドパスフィルタ
５１２  乗算器
５０５、５１３  積分器
５２０  加算器
【図１Ａ】
2008159257.tif 000003
【図１Ｂ】
2008159257.tif 000004
【図２】
2008159257.tif 000005
【図３Ａ】
2008159257.tif 000006
【図３Ｂ】
2008159257.tif 000007
【図３Ｃ】
2008159257.tif 000008
【図４】
2008159257.tif 000009
【図５】
2008159257.tif 000010
【図６】
2008159257.tif 000011
【図７】
2008159257.tif 000012
【図８】
2008159257.tif 000013
【図９】
2008159257.tif 000014
【図１０】
2008159257.tif 000015
【図１１Ａ】
2008159257.tif 000016
【図１１Ｂ】
2008159257.tif 000017
【図１２】
2008159257.tif 000018
【図１３】
2008159257.tif 000019
【図１４Ａ】
2008159257.tif 000020
【図１４Ｂ】
2008159257.tif 000021
【図１５】
2008159257.tif 000022
【図１６】
2008159257.tif 000023
【図１７】
2008159257.tif 000024
【図１８】
2008159257.tif 000025
【図１９】
2008159257.tif 000026
【図２０】
2008159257.tif 000027
【図２１】
2008159257.tif 000028
【図２２】
2008159257.tif 000029
【図２３】
2008159257.tif 000030
【図２４】
2008159257.tif 000031
【図２５】
2008159257.tif 000032